(57)【特許請求の範囲】
【請求項１】
コンテナの内部は複数の仕切板により各貯蔵部ごとに仕切られ、上枠には飼料を給入するための複数の給入口を設け、下枠には飼料を排出するための複数の排出口を設けた飼料コンテナと、飼料を積み込んだ前記飼料コンテナを積載し移動する油圧装置付き荷台を有するトレーラーと、地面にアンカー及びチェーンで固定し設置した支持板に円柱状の支持脚を設置し、前記支持脚の上部に傾斜した状態で略コ字状の支持プレートを設けるとともに先端にフックを取り付けたチェーンを有する吊着機４機を配置し、前記飼料を積み込んだ飼料コンテナを吊着することができる吊着装置と、前記吊着装置に吊着されているとともに飼料を積み込んだ飼料コンテナの底部から飼料を受け、上枠、スイッチが取り付けられている縦枠及び車輪が取り付けられている下枠により直方体に組み立てられた枠体にホッパを設けた受部の前記ホッパに上端に雨除けプレートを備えるとともに布状の導袋を備え、内部にモータにより駆動するスクリューコンベアを設けた筒部を取り付け、前記吊着装置に吊着されている飼料コンテナの底部に設置し移動可能な積替装置と、底部は略ホッパー状に形成されているとともに底にはスクリューコンベアが、上部には先端が給入口となっている給餌箱に飼料を供給するための略コ字状の供給管が、後部には前記供給管の方向及び位置を調整するためのハンドルが取り付けられていて、前記吊着装置に吊着されている飼料コンテナから前記積替装置により飼料を積み込む小分け用飼料コンテナを取り付けた飼料運搬車とからなることを特徴とする飼料運搬装置。
【発明の詳細な説明】
【０００１】
【産業上の利用分野】
本発明は、飼料運搬装置に関する改良発明である。
【０００２】
【従来の技術】
従来、酪農家では、飼料の運搬方法は、即ち、飼料を入れて運搬する飼料運搬用の飼料コンテナによる運搬は、飼料を製造し供給をする工場から小分けして運搬するために小分け飼料運搬車のコンテナ毎に飼料を積み込み、酪農家である顧客が農場に設置したサイロまで運搬している。
【０００３】
【発明が解決しようとする課題】
しかし、従来の小分け用の飼料運搬車の飼料コンテナでは、顧客等の農場にあるサイロへ搬入できる飼料の最大運搬量は５ｔと限定されている。そのために、顧客のサイロへの運搬途中に飼料が不足した場合には、飼料製造工場へ戻り再度小分け用の飼料コンテナへ積み込みをしていたため、顧客〜飼料製造工場間の距離が離れている場合、多くの顧客へ飼料配送運搬ができなかったとの欠点がある。
【０００４】
また、小分け用の飼料運搬車では、飼料製造工場と顧客と間の運搬量が、最大２ｔであるため、１日の運搬回数が時間や距離に制約され、しいては飼料の運搬コストが増えるという問題があった。
【０００５】
そこで、本発明は、飼料の飼料の製造工場まで、小分け用の飼料運搬車に飼料を積み込みや飼料の往復運搬をすることが無くなり、時間もかからず、小分け飼料運搬車の車両台数も増加させることなく、より多くの顧客へ運搬コストのかからない安い飼料の運搬方法を提供することを目的とするものである。
【０００６】
【課題を解決するための手段】
本発明は、上記の課題を解決するために、貯蔵部の内部は複数の仕切板により各貯蔵部ごとに仕切られ、上枠には飼料を給入するための複数の給入口を設け、下枠には飼料を排出するための複数の排出口を設けた飼料コンテナと、飼料を積み込んだ前記飼料コンテナを積載し移動する油圧装置付き荷台を有するトレーラーと、地面にアンカー及びチェーンで固定し設置した支持板に円柱状の支持脚を設置し、前記支持脚の上部に傾斜した状態で略コ字状の支持プレートを設けるとともに先端にフックを取り付けたチェーンを有する吊着機４機を配置し、前記飼料を積み込んだ飼料コンテナを吊着することができる吊着装置と、前記吊着装置に吊着されているとともに飼料を積み込んだ飼料コンテナの底部から飼料を受け、上枠、スイッチが取り付けられている縦枠及び車輪が取り付けられている下枠により直方体に組み立てられた枠体にホッパを設けた受部の前記ホッパに上端に雨除けプレートを備えるとともに布状の導袋を備え、内部にモータにより駆動するスクリューコンベアを設けた筒部を取り付け、前記吊着装置に吊着されている飼料コンテナの底部に設置し移動可能な積替装置と、底部は略ホッパー状に形成されているとともに底にはスクリューコンベアが、上部には先端が給入口となっている給餌箱に飼料を供給するための略コ字状の供給管が、後部には前記供給管の方向及び位置を調整するためのが取り付けられていて、前記吊着装置に吊着されている飼料コンテナから前記積替装置により飼料を積み込む小分け用飼料コンテナを取り付けた飼料運搬車とからなることを特徴とする飼料運搬装置の構成とした。
【０００７】
【実施例】
以下に、添付図面に基づき、本発明である飼料運搬装置を構成する飼料コンテナ、飼料コンテナ吊着装置、飼料積替装置等について詳細を説明する。
【０００８】
図１は、本発明である飼料運搬方法の手順を示した図である。図１に示すように、飼料運搬装置１の運搬方法は、飼料製造工場で飼料コンテナへ積込みを行う「飼料コンテナへの積み込み２」と飼料コンテナの吊着装置１５を使用して行う「飼料コンテナの吊り下げ３」と「飼料コンテナの常置４」と飼料コンテナ９から飼料の積替装置１６を使用して行う「飼料コンテナから飼料の積替え５」と、飼料コンテナを油圧装置付き荷台に積載して行う「空飼料コンテナの搬出６」の順に行われる。本発明である飼料運搬方法に使用する装置は、飼料コンテナ９、飼料コンテナ９の吊着装置１５及び飼料の積替装置１６である。
【０００９】
「飼料コンテナへの積み込み２」は、図２に示したように、飼料２ｃを製造し供給する飼料製造工場１１から、トレーラー７の油圧装置付き荷台１０に積載した１基の飼料コンテナ９に、飼料製造工場１１で飼料を積載することである。
【００１０】
「飼料コンテナの吊り下げ３」は、図３に示したように、複数の吊着機１４の上部に取り付けたチェーン１４ｄの先端に、飼料コンテナ９を吊り下げを行うまでの動きである。
【００１１】
「飼料コンテナの常置４」は、図４及び図５に示したように、飼料コンテナ吊着装置１５、１５ａのいずれかに、飼料が貯蔵された飼料コンテナ９を、４基の吊着機からなる吊着装置１５、１５ａで吊り下げし、配送基地に常に設置された状態であることを示すものである。
【００１２】
「飼料コンテナから飼料の積替え５」は、図６及び図７に示したように、飼料運搬車１９のコンテナ１９ｄに、飼料コンテナ９の内部に貯蔵された飼料２ｃを、顧客に小分用の飼料運搬車１９のコンテナ１９ｄへ積替装置を使用し、飼料２ｃを飼料コンテナから積み替えることである。
【００１３】
「空飼料コンテナの搬出６」は、図８に示したように、先ず、空の飼料コンテナ９ｊを、トレーラー７の油圧装置付き荷台１０の横フレーム１０ｉに取り付けた油圧装置１０ｇにより、飼料コンテナ９が積載されていない油圧装置付き荷台１０を、吊着機１４のフック１４ｅの位置まで上昇させる。
【００１４】
上昇した油圧装置付き荷台１０は、吊着装置１５の吊着機１４、１４、１４、１４のフック１４ｅ、１４ｅ、１４ｅ、１４ｅから外し、油圧装置付き荷台１０に空の飼料コンテナ９ｊを積載する。
【００１５】
油圧装置付き荷台１０に積載した飼料コンテナは、油圧装置付き荷台１０の横フレーム１０ｉに取り付けた油圧装置１０ｇを下降する。下降と同時に、トレーラー７の運転席８と油圧装置付き荷台１０とを連結部１０ｂで連結し、空の飼料コンテナ９を積載した油圧装置付き荷台１０と運転席８が連結され、配送基地１３から搬出することである。これにより、「空飼料コンテナの搬出６」が終了する。
【００１６】
図２は、本発明である飼料運搬装置を使用し、飼料製造工場で油圧装置付き荷台に積載した空の飼料コンテナ９へ、飼料を積み込んでいる状態を示した正面図である。
【００１７】
飼料２ｃを製造し供給する飼料製造工場１１で、トレーラー７の油圧装置付き荷台１０の上部に、着脱可能に積載した飼料コンテナ９内に飼料製造工場で飼料を積載することである。
【００１８】
飼料コンテナ９へ飼料の積み込みは、飼料製造工場１１の貯蔵庫１２に貯蔵された飼料１２ａが、貯蔵庫１２に取り付けた排出管１２ｂから粉末状の飼料２ｃとして吐出し、飼料コンテナ９の貯蔵部９ｃ、９ｃ、９ｃ内に飼料が満杯にすることにより終わる。
【００１９】
飼料コンテナ９は、直方体あり、飼料毎に飼料コンテナ９内で複数の仕切板９ｅ、９ｅ、９e、９ｅ・・・・によって、貯蔵部９ｃは各貯蔵部９ｆ、９ｇごとに仕切られている。各貯蔵部９ｆ、９ｇは、飼料コンテナ９を構成し、１基当たりの飼料２ｃの積載量は最大で３０ｔである。
【００２０】
飼料コンテナ９の上部の上枠９ｈは、飼料コンテナ９の水平方向に取り付けられている。また、上枠９ｈの内側は、上面には３箇所の飼料の給入口９ａ、９ａ、９ａが設けられている。飼料コンテナ９の下部の下枠９ｉの内側には、貯蔵部９ｃの底部で長方形状の飼料の排出口９ｂ、９ｂ、９ｂが設けられている。
【００２１】
飼料コンテナ９の運搬には、飼料コンテナ９を積載できる油圧装置付き荷台１０を有するトレーラー７を使用する。油圧装置付き荷台１０のトレーラー７とは、油圧装置が取り付けられたトレーラーである。油圧装置１０ｇは、油圧脚１０ｅと、油圧装置付き荷台１０ａの荷台を構成する横フレーム１０ｉに固定された収納筒１０ｆとからなる。
【００２２】
トレーラー７の油圧装置付き荷台１０の横フレーム１０ｉには、飼料コンテナ９を油圧装置付き荷台１０に積載したまま昇降できる油圧装置１０ｇ、１０ｇが２カ所に取り付けられている。
【００２３】
先ず、油圧装置１０ｇの取り付け位置は、トレーラー７の油圧装置付き荷台１０の横フレーム１０ｉに取り付けられた中輪１０ｃと後輪１０ｄの中間に取り付けられ、残りの油圧装置１０ｇは、後輪１０ｄよりやや後方の位置に取り付けれている。トレーラー７は、運転席８、前輪８ａ、８ｃ、横フレーム１０ｉ、中輪１０ｃ、後輪１０ｄがついた油圧装置付き荷台１０等からなる。
【００２４】
図３は、本発明である飼料運搬装置である飼料コンテナを吊着装置が設置してある配送基地まで運搬し、吊着装置に飼料コンテナを吊り下げた状態を示した斜視図である。
【００２５】
配送基地１３には、吊着装置１５、１５ａが２個所に設置されている。一の吊着装置１５は飼料が満杯である飼料コンテナ９を吊着しておく装置であり、他の吊着装置１５ａは空になっている飼料コンテナ９を吊着しておく装置である。
【００２６】
配送基地１３には、「飼料コンテナの吊り下げ３」で使用する吊着装置１５、１５ａを構成する各吊着機１４、１４、１４・・・・が等間隔にかつ、長方形状に設置されている。配送基地１３までの飼料コンテナ９の運搬は、トレーラー７により運搬する。
【００２７】
トレーラー７の油圧装置付き荷台１０は、トレーラー７の荷台積載された飼料コンテナ９と油圧装置付き荷台１０の横幅が入るように設置された吊着装置１５まで運搬する。吊着機１４は、飼料コンテナ９を１台を吊着するには、吊着機１４、１４、１４、１４が４機設置されている。
【００２８】
吊着機１４、１４、１４、１４は、略円柱状の支持脚１４ｂの上部に略コ字状で傾斜した支持プレート１４ａが固定され、支持脚１４ｂの底部には長方形状で平板である支持板１４ｃが固定されている。
【００２９】
吊着機１４、１４、１４、１４の上部に取り付けた支持プレート１４ａは、チェーン１４ｄが掛けられ、チェーンの先端には、飼料コンテナ９を吊り下げるためのフック１４ｅが取り付けられている。フック１４ｅは、飼料コンテナ９の底部の下枠９ｉの四隅に掛ける。図９及び図１０に基づいて吊着機１４を詳細に説明する。
【００３０】
図４は、本発明である飼料運搬装置である飼料コンテナを配送基地で吊着装置で吊り下げ、空となった油圧装置付き荷台を、運転席の後部にある連結部で連結し移動した状態を示した斜視図である。
【００３１】
トレーラー７の油圧装置付き荷台１０は、トレーラー７の運転席８の後部にある連結部８ｂと、油圧装置付き荷台１０の連結部１０ｂの突出部が、飼料コンテナ吊り下げの後に連結し移動している状態である。図５では、飼料コンテナ９を矢印Ａ方向から見た状態を説明する。
【００３２】
図５は、本発明である飼料運搬装置である吊着装置を使用し、吊着装置のフックで飼料コンテナを吊着し、油圧装置付き荷台を下げた状態を示した正面図である。
【００３３】
トレーラー７に着脱可能に取り付けられる油圧装置付き荷台１０は、油圧装置付き荷台１０の連結部１０ｂとの連結を解除し、油圧装置付き荷台１０に取り付けた油圧装置１０ｇで、吊着装置１５の吊着機１４、１４に取り付けた複数のフック１４ｅ、１４ｅに掛けられる位置まで飼料コンテナ９を持ち上げた状態である。
【００３４】
飼料が満杯に収納されている飼料コンテナ９を吊着させた後、油圧装置１０ｇは、筒状の収納筒１０ｆの内側に油圧脚１０ｅの一部が収納された状態である。油圧脚の一部が収納されることで、吊着装置１５、１５ａの吊着機１４のチェーン１４ｄに取り付けられたフック１４ｅで吊り下げられる。
【００３５】
図６は、本発明である飼料運搬装置である吊着装置を使用し、吊着された飼料コンテナの底部に積替装置を設置した状態を示した斜視図である。
【００３６】
「飼料コンテナから飼料の積替え５」で使用する飼料の積替装置１６は、飼料コンテナ９の底部から飼料を受ける受部１７と、飼料を小分け飼料運搬車に積み替えする筒部１８とからなる。積替装置１６は、積替装置の下枠１７ｃの四隅に４個の車輪１７ｆが取り付けられていて、車輪１７ｆ、１７ｆ、１７ｆ、１７ｆによって飼料コンテナ９の下方を自由に移動できる。
【００３７】
飼料を積み替えるための積替装置１６の受部１７には、飼料を受けるホッパ１７ｄが取り付けられている。受部１７のホッパ１７ｄには、筒部１８の下端に設けられた連結部１８ａが取り付けられている。筒部１８の取り付け方向は、飼料受けから傾斜して上方に向かって取り付けられている。
【００３８】
筒部１８の筒１８ｂの上部はＬ字状に屈曲していて、Ｌ字状に屈曲した個所に雨よけ用のプレート１８ｄが取付棒１８ｃにより取り付けられている。
筒部１８のＬ字型に屈曲された先端には、飼料を積み替える時に散乱しないように導くための導袋１８ｆが連結材１８ｅにより取り付けられている。
【００３９】
導袋１８ｆは、飼料コンテナ９の積み替え時に、飼料を風などによる飛散防止するために取り付けた袋であり布製である。そして、導袋１８ｆは、飼料を積み替えしないときには、プレート１８ｄの下面に折り畳み、ゴムバンドによりプレート１８ｄの下面に係止されている。
【００４０】
図７は、本発明である飼料運搬装置である積替装置により、飼料コンテナから積替装置を経て飼料運搬車のコンテナへ積み替えている状態を示した斜視図である。
【００４１】
積み替えて運搬する飼料運搬車１９は、運転席１９ａと、前輪１９ｃ及び後輪１９ｈを有する荷台１９ｂと、荷台１９ｂの上部に積載し取り付けた小分け用の飼料コンテナ１９ｄとからなる。小分け用の飼料コンテナ１９ｄは、底部が略ホッパー状に形成されていて、飼料コンテナ１９ｄ内の底にはスクリューコンベア１９ｉが取り付けられている。
【００４２】
飼料運搬車１９の小分け用の飼料コンテナ１９ｄの上部には、先端が給入口１９ｅとなっている給餌箱に飼料を供給するための略コ字状の供給管１９ｆが取り付けられている。また、小分け用の飼料コンテナ１９ｄの後部には、供給管１９ｆの方向及び位置を調整するためのハンドル１９ｇが取り付けられている。
【００４３】
飼料コンテナ９から小分け用の飼料コンテナ１９ｄへの飼料の積替えの方法は、積替装置１６のホッパ１７ｄへ、飼料コンテナ９の排出口９ｂから飼料２ｃを落下し、積替装置１６の筒１８ｂから導袋１８ｆを経て、小分けの飼料コンテナ１９ｄまで飼料の供給を行う。積替装置１６が、ホッパ１７ｄへ供給する飼料の量は２ｔ〜５ｔである。
【００４４】
図８は、本発明である飼料運搬装置により吊着された空の飼料コンテナを吊着装置から外し油圧装置付き荷台に積載し運搬している状態を示した斜視図である。
【００４５】
配送基地１３に２基が設置されている空の飼料コンテナ９が吊着されている吊着装置１５ａの吊着機１４・・から、飼料コンテナ９が吊着装置１５ａのフック１４ｅ、１４ｅ、１４ｅ・・から取り外される。吊着装置１５ａに取り付けた飼料コンテナ９が吊着機１４、１４から外され、トレーラー７の油圧装置付き荷台１０へ積載し、飼料製造工場１１へ再度向かう。
【００４６】
吊着装置装置１５ａから空の飼料コンテナ９を取り外すには、トレーラー７で牽引してきた油圧装置付き荷台１０の油圧脚１０ｅを伸ばし、トレーラー７の運転席８の連結部８ｂから外す。次に、吊着装置１５に取り付けたフック１４ｅの位置まで油圧装置付き荷台１０を上昇させる。
【００４７】
上昇した油圧装置付き荷台１０は、飼料コンテナ９が油圧装置付き荷台１０に設置するまで油圧装置を上昇させておく。吊着装置１５に設けられたチェーン１４ｄを外し、油圧装置付き荷台１０にコンテナが設置した状態を確認し、油圧脚１０ｅを収納筒１０ｆへ収納すればトレーラー７は移動できる。
【００４８】
図９は本発明である飼料運搬装置の吊着装置を構成する吊着機の正面図、図１０は本発明である飼料運搬装置の吊着装置を構成する吊着機の左側面図である。
【００４９】
吊着機１４は、地面に設置した際に安定させるための板状の支持板１４ｃの上面に円柱状の支持脚１４ｂが固定されている。支持脚１４ｂの上部には、傾斜した状態で縦断面形状が略コ字状のガイドの機能のある支持プレート１４ａが取り付けられている。支持プレート１４ａの上部から、チェーン１４ｄが吊り下げられていて、チェーン１４ｄの先端にはフック１４ｅが取り付けられている。
【００５０】
図１０に示したように、吊着機１４が飼料コンテナ９の重みにより支持板１４ｃ、１４ｃ、１４ｃ、１４ｃが、内方に浮き上がりを防止するとともに移動かることがないように、支持板１４ｃの各コーナにチェーン１４ｇ、１４ｇ、１４ｇ、１４ｇを取り付けてある。そして、地面に打ち込んだアンカー１４ｆにチェーン１４ｇを取り付ける。
【００５１】
図１１は本発明である飼料運搬装置の積替装置の正面図、図１２は本発明である飼料運搬装置の積替装置の左側面図、図１３は本発明である飼料運搬装置の積替装置の縦断面図である。積替装置１６は、ホッパ１７ｄを有する受部１７と、受部１７の前記ホッパ１７ｄの底部に接続されている筒部１８からなる。
【００５２】
受部１７は、上枠１７ａ、１７ａ、１７ａ、１７ａ、縦枠１７ｂ、１７ｂ、１７ｂ、１７ｂ及び下枠１７ｃ、１７ｃ、１７ｃ、１７ｃにより直方体に組み立てられた枠体１７ｊとホッパ１７ｄと積み替える飼料をホッパ１７ｄから筒１８ｂ内に送り込むためのモーター１７ｇ、ベルト１７ｈ等を有する駆動部とからなる。
【００５３】
受部１７のホッパ１７ｄの底部には、モーター１７ｇが取り付けられいる。積替装置１６の下枠１７ｃ、１７ｃ、１７ｃには、車輪１７ｆ、１７ｆ、１７ｆ、１７ｆが取り付けられていて容易に移動することができる。
【００５４】
図１２に示すように、縦枠１７ｂには、上部に取り付けられたＯＮボタンと下部に取り付けられたＯＦＦボタンとからなるスイッチ１７ｅが取り付けられている。スイッチ１７ｅの使用は、図７に示した飼料コンテナから飼料の積替え５の時に使用する。
【００５５】
飼料コンテナから飼料の積替え５の際に、１人が積替装置１６のスイッチ１７ｅを操作し、飼料の小分けコンテナ１９ｄへ積み替え時の供給量の確認を行ながら、積替装置１６のスイッチ１７ｅのＯＮ、ＯＦＦボタンを使い分ける。
【００５６】
図１３に示したように、筒１８ｂの内部には、スクリューコンベア１８ｇが設置されている。スクリューコンベアー１８ｇは、回転しながら飼料を上方に押し上げ、飼料運搬車１９のコンテナ１９ｄに落下させる。スクリューコンベア１８ｇの回転は、モーター１７ｇに取り付けた２本のベルト１７ｈ、１７ｉで筒１８ｂの下端に取り付けられているプーリーを回転し、スクリューコンベア１８ｇが回転する。
【００５７】
スクリューコンベア１８ｇの操作は、縦枠１７ｂ、１７ｂ、１７ｂ、１７ｂにあるスイッチ１７ｅを使用する。スイッチ１７ｅのＯＮボタンを押すことで、スクリューコンベア１８ｇが回転し、ＯＦＦボタンを押下すとスクリューコンベア１８ｇが停止する。
【００５８】
図１４は、本発明である飼料運搬装置の飼料コンテナの他の実施例の飼料コンテナに飼料積み込みの状態を示した図である。
【００５９】
図１４に示したように、コンテナ９ｄの内部に複数の仕切板９ｅが設けられている。コンテナ９ｄの上部の上枠９ｈの内側には、複数の給入口９ａ、９ａ、９ａ・・・が設けてある。そして、コンテナ９ｄの底部の下枠９ｉの内側には、複数の排出口９ｂ、９ｂ、９ｂ・・・・が設けてある。
【００６０】
図１４に示した複数の仕切板９ｅで仕切られたコンテナ９ｄは、飼料の銘柄や種類に応じて自由に飼料の積載量を変更できる。コンテナ９ｄの左右両端部の貯蔵部９ｆ、９ｆは各５ｔ分の飼料を積載し、コンテナ９ｄの中央の複数の貯蔵部９ｇ、９ｇ、９ｇ・・・は各２．５ｔ分の飼料が積載できる。
【００６１】
【発明の効果】
本発明である飼料の運搬方法及びその装置は、以上のような構成であるから、以下の効果が得られる。
【００６２】
第１に、一度に３０ｔの飼料を顧客と飼料製造工場と中継点である配送基地で、吊り下がった飼料コンテナから、飼料を積込みである小分け飼料運搬車５ｔへ積み替え装置で積み替えできるため飼料製造工場に戻るまでの時間がかからない。
【００６３】
第２に、小分けするための飼料運搬車も増加させることなく、より多くの顧客へ配送費のコストを大幅に削減した飼料を提供できることで、迅速にかつ運搬コストのかからない安い飼料が提供できる。
【００６４】
第３に、吊着装置及積替装置の製作費用は、市販品された安価な材料を使用し製作できるため材料費も新たな小分け用の飼料運搬車を購入する必要性がない。
【図面の簡単な説明】
【図１】本発明である飼料運搬装置の全体の流れ図である。
【図２】本発明である飼料運搬装置を使用し、飼料製造工場で油圧装置付き荷台に積載した空の飼料コンテナへ、飼料を積み込んでいる状態を示した正面図である。
【図３】本発明である飼料運搬装置である飼料コンテナを配送基地まで運搬し、吊着装置で飼料コンテナを吊り下げた状態を示した斜視図である。
【図４】本発明である飼料運搬装置である飼料コンテナを配送基地で吊着装置で吊り下げ、空となった油圧装置付き荷台を、運転席８で連結し移動した状態を示した斜視図である。
【図５】本発明である飼料運搬装置である吊着装置を使用し、吊着装置のフックで飼料コンテナを吊着し、油圧装置付き荷台を下げた状態を示した正面図である。
【図６】本発明である飼料運搬装置である吊着装置を使用し、吊着されている飼料コンテナの底部に積替装置を設置した状態を示した斜視図である。
【図７】本発明である飼料運搬装置である吊着装置を使用し、飼料コンテナから積替装置を経て、飼料運搬車のコンテナへ積み替えしている状態を示した斜視図である。
【図８】本発明である飼料運搬装置である吊着装置を使用し、吊着された空の飼料コンテナを吊着装置から外し油圧装置付き荷台に積載し運搬している状態を示した斜視図である。
【図９】本発明である飼料運搬装置の吊着装置を構成する吊着機の正面図である。
【図１０】本発明である飼料運搬装置の吊着装置を構成する吊着機の左側面図である。
【図１１】本発明である飼料運搬装置の積替装置の正面図である。
【図１２】本発明である飼料運搬装置の積替装置の左側面図である。
【図１３】本発明である飼料運搬装置の積替装置の縦断面図である。
【図１４】本発明である飼料運搬装置の飼料コンテナの他の実施例の飼料コンテナに飼料積み込みの状態を示した図である。
【符号の説明】
１          飼料運搬装置
２          飼料コンテナへの積み込み
２ｃ        飼料
３          飼料コンテナの吊り下げ
４          飼料コンテナの常置
５          飼料コンテナから飼料の積替え
６          空飼料コンテナの搬出
７          トレーラー
８          運転席
８ａ        前輪
８ｂ        連結部
８ｃ        前輪
９          飼料コンテナ
９ａ        給入口
９ｂ        排出口
９ｃ        貯蔵部
９ｄ        コンテナ
９ｅ        仕切板
９ｆ        貯蔵部
９ｇ        貯蔵部
９ｈ        上枠
９ｉ        下枠
９ｊ        飼料コンテナ
１０        油圧装置付き荷台
１０ａ      油圧装置付き荷台
１０ｂ      連結部
１０ｃ      中輪
１０ｄ      後輪
１０ｅ      油圧脚
１０ｆ      収納筒
１０ｇ      油圧装置
１０ｉ      横フレーム
１１        飼料製造工場
１２        貯蔵庫
１２ａ      飼料
１２ｂ      排出管
１３        配送基地
１４        吊着機
１４ａ      支持プレート
１４ｂ      支持脚
１４ｃ      支持板
１４ｄ      チェーン
１４ｅ      フック
１４ｆ      アンカー
１４ｇ      チェーン
１５        吊着装置
１５ａ      吊着装置
１６        積替装置
１７        受部
１７ａ      上枠
１７ｂ      縦枠
１７ｃ      下枠
１７ｄ      ホッパ
１７ｅ      スイッチ
１７ｆ      車輪
１７ｇ      モーター
１７ｈ      ベルト
１７ｉ      ベルト
１７ｊ      枠体
１８        筒部
１８ａ      連結部
１８ｂ      筒
１８ｃ      取付棒
１８ｄ      プレート
１８ｅ      連結材
１８ｆ      導袋
１８ｇ      スクリューコンベア
１９        飼料運搬車
１９ａ      運転席
１９ｂ      荷台
１９ｃ      前輪
１９ｄ      小分け用飼料コンテナ
１９ｅ      給入口
１９ｆ      供給管
１９ｇ      ハンドル
１９ｈ      後輪
１９ｉ      スクリューコンベア
【図１】
0003582064.tif 000002
【図２】
0003582064.tif 000003
【図３】
0003582064.tif 000004
【図４】
0003582064.tif 000005
【図５】
0003582064.tif 000006
【図６】
0003582064.tif 000007
【図７】
0003582064.tif 000008
【図８】
0003582064.tif 000009
【図９】
0003582064.tif 000010
【図１０】
0003582064.tif 000011
【図１１】
0003582064.tif 000012
【図１２】
0003582064.tif 000013
【図１３】
0003582064.tif 000014
【図１４】
0003582064.tif 000015